【手続補正書】
【提出日】令和3年4月13日(2021.4.13)
【手続補正１】
【補正対象書類名】特許請求の範囲
【補正対象項目名】全文
【補正方法】変更
【補正の内容】
【特許請求の範囲】
【請求項１】
飲料を収容するための容器組立体であって、前記容器組立体は、
前記飲料を収容するための内容積を画定する本体部分と、開口部、内側に向いた表面および外側に向いた表面を画定する円筒状首部分（３８）とを有する折り畳み可能飲料容器であって、前記飲料容器は破裂圧力をさらに画定する、折り畳み可能飲料容器と、
前記円筒状首部分の開口部を密封して、前記折り畳み可能飲料容器の内容積に面しているクロージャディスク（１２）、前記円筒状首部分の内側に向いた表面に面している内側円筒状部分（２０）、および前記円筒状首部分の外側に向いた表面に面している外側円筒状部分（２２）を含むクロージャ（１０）であって、前記クロージャディスクは、前記飲料容器から前記飲料を抽出するための飲料出口（１４）を含む、クロージャと、
を含む、容器組立体であり、
前記クロージャ（１０）は、前記クロージャディスクまたは前記内側円筒状部分に配置された圧力軽減装置（１６）をさらに含み、前記圧力軽減装置は、前記内容積と外部空間との間の圧力差が所定の圧力値を超えるときに、前記折り畳み可能飲料容器の内容積から前記外部空間に流体が流れるのを可能にするために、前記クロージャを通して、または前記クロージャと前記首部分との間に永久的もしくは再密封可能開口部を確立することができ、前記所定の圧力値は前記破裂圧力よりも低いことを特徴とする、容器組立体。
【請求項２】
前記圧力軽減装置（１６）は、前記容器組立体の外側から少なくとも部分的に見える、請求項１に記載の容器組立体。
【請求項３】
前記圧力軽減装置（１６）は、前記内側円筒状部分（２０）の脆弱部分（３６）を含み、前記脆弱部分は、前記内容積と前記外部空間との間の圧力差が前記所定の圧力値を超えるときに、永久的に、かつ／または弾性的に内側に変形し、それにより前記開口部を確立する、請求項１または２に記載の容器組立体。
【請求項４】
前記圧力軽減装置（１６）は、前記クロージャ（１０）の内側円筒状部分（２０）と前記円筒状首部分（３８）の内側に向いた表面との間に配置されたエラストマ密封リング（４０、４２）を含み、前記内側円筒状部分（２０）の脆弱部分（３６）および前記エラストマ密封リングは任意選択として一体部分を構成する、請求項３に記載の容器組立体。
【請求項５】
前記圧力軽減装置（１６）は、前記クロージャディスク（１２）から外向きに延出する細長い中空突起部（１８）を含み、前記細長い中空突起部は、前記内容積と前記外部空間との間の圧力差が前記所定の圧力値を超えるときに永久的な開口部を確立するために、前記細長い中空突起部の遠位端に所定の破壊点（２８）を有する、請求項１または２に記載の容器組立体。
【請求項６】
前記圧力軽減装置（１６）は、前記内容積と前記外部空間との間の圧力差が前記所定の圧力値を超えるときに永久的な開口部を確立するために、前記クロージャディスク（１２）内に配置された破裂板を含む、請求項１または２に記載の容器組立体。
【請求項７】
前記圧力軽減装置（１６）は、
前記クロージャディスク（１２）に配置されて、前記飲料容器の内容積に面しており、かつ前記クロージャディスクのアパチャを覆う可撓性ホイル（３４）と、
前記可撓性ホイルと前記アパチャとの間に配置されて、前記可撓性ホイルに面している穿刺機構（３０）と、
前記可撓性ホイルを支持するために前記可撓性ホイルと前記穿刺機構との間の第１の位置に配置された可動板であって、前記可動板は、前記内容積と前記外部空間との間の圧力差が前記所定の圧力値を超えるときに、前記可撓性ホイルから離れた第２の位置まで永久的に可動であり、前記可撓性ホイルが前記穿刺機構に接触するのを可能にし、それにより前記可撓性ホイルを破って前記開口部を永久的に確立する、可動板と、
を含む、請求項１または２に記載の容器組立体。
【請求項８】
前記穿刺機構（３０）は中空であるか、または、前記穿刺機構は前記可動板の一部を形成する、請求項７に記載の容器組立体。
【請求項９】
前記可動板はリング状であり、任意選択として、前記穿刺機構（３０）を収容するための補助アパチャを含む、請求項７または８に記載の容器組立体。
【請求項１０】
前記可動板は、前記クロージャプレートにスナップフィットもしくはスプリングフィットされ、かつ／または前記可撓性ホイル（３４）は前記飲料出口（１４）を覆う、請求項７〜９のいずれか一項に記載の容器組立体。
【請求項１１】
前記圧力軽減装置（１６）は、前記飲料出口（１４）の周辺に配置された、好ましくは２〜２０、より好ましくは３〜１５、例えば、４〜１０など、複数の穿刺要素を含む、請求項７〜１０のいずれか一項に記載の容器組立体。
【請求項１２】
前記クロージャディスク（１２）は弁座（５８）を含み、前記圧力軽減装置（１６）は、スプリング（６０）によって前記弁座に対して付勢された弁本体（５６）を含む、請求項１〜１１のいずれか一項に記載の容器組立体。
【請求項１３】
前記圧力軽減装置（１６）は、前記弁本体（５８）および前記スプリングを収容するためのハウジング（６２）を含み、前記ハウジングは好ましくはスロット開口部（６４）を含み、前記ハウジングは任意選択として、前記弁本体のガイド部分（６８）を導くための合わせ穴（６６）を含み、前記ガイド部分は任意選択として可撓性であり、任意選択として、ストッパを含む、請求項１２に記載の容器組立体。
【請求項１４】
前記飲料は溶解したＣＯ２および／またはＮ２を含み、前記飲料は、前記飲料容器内部に温度依存性加圧を確立し、前記温度依存性加圧は室温において前記破裂圧力よりも低い、請求項１〜１３のいずれか一項に記載の容器組立体。
【請求項１５】
前記所定の圧力値は３ａｔｍと１５ａｔｍとの間、好ましくは５ａｔｍと１０ａｔｍとの間、より好ましくは７ａｔｍと８ａｔｍとの間にある、請求項１〜１４のいずれか一項に記載の容器組立体。
【請求項１６】
圧力室と、前記圧力室内に配置するための請求項１〜１５のいずれか一項に記載の柔軟で折り畳み可能な飲料容器と、前記圧力室を閉じて、前記飲料容器のクロージャプレートのフランジに対して密封するための蓋とを含む飲料分注システムであって、前記飲料分注システムは、前記飲料を分注するための飲料栓と、前記飲料容器の飲料出口（１４）に連結される樽コネクタと、前記飲料栓と前記樽コネクタとの間に延在する栓配管とをさらに含む、飲料分注システム。
【請求項１７】
飲料容器を充填および操作する方法であって、前記方法は、
内容積を画定する本体部分と、開口部、内側に向いた表面および外側に向いた表面を画定する円筒状首部分（３８）とを有する折り畳み可能飲料容器を提供することであって、前記飲料容器は破裂圧力をさらに画定することと、
前記飲料容器の内容積内に飲料を収容することと、
前記折り畳み可能飲料容器の内容積に面しているクロージャディスク（１２）、前記円筒状首部分の内側に向いた表面に面している内側円筒状部分（２０）、および前記円筒状首部分の外側に向いた表面に面している外側円筒状部分（２２）を含むクロージャ（１０）によって前記円筒状首部分の開口部を密封することであって、前記クロージャディスクは前記飲料容器から前記飲料を抽出するための飲料出口（１４）、および圧力軽減装置（１６）を含むことと、
を備える、方法であり、
前記方法は、
前記内容積と外部空間との間に所定の圧力値を超える圧力差を引き起こし、それにより、前記折り畳み可能飲料容器の内容積から前記外部空間に流体が流れるのを可能にするために、前記圧力軽減装置により、前記クロージャを通して、または前記クロージャと前記首部分との間に永久的もしくは再密封可能な開口部を確立することであって、前記所定の圧力値は前記破裂圧力よりも低く、前記圧力軽減装置（１６）は、前記クロージャディスク（１２）または前記内側円筒状部分（２０）に配置されることと、
をさらに含むことを特徴とする、方法。
【請求項１８】
前記折り畳み可能飲料容器は、請求項１〜１５のいずれか一項に関連して記載された特徴のいずれかをさらに含む、請求項１７に記載の方法。
【請求項１９】
折り畳み可能飲料容器用のクロージャ（１０）であって、前記飲料容器は、飲料を収容するための内容積を画定する本体部分と、開口部、内側に向いた表面および外側に向いた表面を画定する円筒状首部分（３８）とを有し、前記クロージャは、前記円筒状首部分の開口部を密封するように構成されており、前記クロージャは、前記飲料容器の内容積に面するように構成された内部表面、および外部空間に面するように構成された外部表面を画定し、
前記クロージャは、前記折り畳み可能飲料容器の内容積に面するように構成されたクロージャディスク（１２）、前記円筒状首部分の内側に向いた表面に面するように構成された内側円筒状部分（２０）、および前記円筒状首部分の外側に向いた表面に面するように構成された外側円筒状部分（２２）を含み、前記クロージャディスクは前記飲料容器から前記飲料を抽出するための飲料出口（１４）を含む、クロージャであり、
前記クロージャ（１０）は、前記クロージャディスクまたは前記内側円筒状部分に配置された圧力軽減装置（１６）をさらに含み、前記圧力軽減装置は、前記内容積と前記外部空間との間の圧力差が所定の圧力値を超えるときに、前記内部表面から、前記開口部を通して、前記外側表面に流体が流れるのを可能にするために、前記クロージャを通して永久的もしくは再密封可能開口部を確立することができるか、または、前記クロージャと前記首部分との間に永久的もしくは再密封可能開口部を確立することができるように構成されていることを特徴とする、クロージャ。